(57)【要約】この定量プラスチック・ボトルのスティックは、基部または脚と、他の離れた位置との少なくとも二列のタブ（３，５）によって互いに分離可能に連結された複数のボトル（１）を含み、ボトルを切離して使用するための破断線（３Ｃ，５Ａ）は整合されていない。このことが、同軸的な破断線に沿って生じる可能性の高い変形に対抗できるようにスティックを十分に強化する。
2004536750.tif 000002
【特許請求の範囲】
【請求項１】
基部または脚と、他の離れた位置との少なくとも二列のタブによって互いに分離可能に連結された複数のボトルを含む定量プラスチック・ボトルのスティックであり、全てのタブはボトルを切離して使うために前記ボトルの長手方向の直線に平行な線を形成する、不連続の破断点によって形成することもできる、破断線を有しているようなスティックであって、一方のタブ列の破断線が他方のタブ列の破断線と整合されておらず、これにより同軸的な破断線に沿って生じる可能性の高い変形に対抗できるようにスティックを強化していることを特徴とするボトルのスティック。
【請求項２】
二列のタブの一方には隣接する二つのボトルの間で一本の破断線が中間位置に形成され、他方のタブ列には別々な二本の破断線が各タブに配置され、前記一方の列のタブの一本の破断線と整合されていないことを特徴とする請求項１に記載されたボトルのスティック。
【請求項３】
基部のタブ列には隣接するボトルの間で一本の破断線が配置される一方、ほぼボトルの中央に位置する他方のタブ列には隣接するボトルに接近して二本の破断線が配置されていることを特徴とする請求項１に記載されたスティック。
【請求項４】
基部に対応する列のタブは、重量軽減のために横方向に厚く中空で特に中空平行六面体のセグメントを形成するようになされており、また対をなす離れた破断線が前記中空タブの厚さを横断して配置されていることを特徴とする請求項１に記載されたスティック。
【請求項５】
ボトル本体に関して中間位置に配置された列においてタブは隣接するボトルの間で対をなし、互いに所定距離だけ隔てられて長手方向に延在し、各タブはそれぞれ一本の中間破断線または二つのボトルに隣接する二本の破断線を有していることを特徴とする請求項１または請求項２に記載されたスティック。
【請求項６】
少なくとも一方の列の各タブが、充填機械のマガジンにおける整合およびガイド部材と係合するように形成された、および（または）二以上のスティックをパッキングするために形成された端部を有していることを特徴とする請求項１から請求項連結部材５までのいずれか一項に記載されたスティック。
【請求項７】
前記外端部が湾曲するように形成されていることを特徴とする請求項６に記載されたスティック。
【請求項８】
切離した後もボトルに付着したまま残されるタブまたはタブの一部が起立またはギザギザ状のモールド成形された表示を担持していることを特徴とする請求項１から請求項連結部材７までのいずれか一項に記載されたスティック。
【請求項９】
セグメントの形態が基部の連結部材の下方へ向かう配向を助成する釣り合いを与えるように形成されたことを特徴とする請求項４に記載されたスティック。
【請求項１０】
十分大きい剛性を与えるために改良され、全体的に上述で説明し添付図面に例を挙げて図示した定量プラスチック・ボトルのスティック。
【発明の詳細な説明】
【背景技術】
【０００１】
従来技術は、スティックの基部または脚を形成するタブと中央のタブとによって一連のボトルが分離可能に互いに連結されて形成されたスティックを提供している。両方のタブ列ともボトルに関して長手方向に配向された破断線（破断点列）を有しており、破断線はともに同一軸線上にある。それらの破断線は製造時に形成されて同一軸線上に位置されるが、このことは曲げおよび撓みの両方が生じ得ることを意味し、またスティックを互いに積み重ねることによってしばしば重大な問題をもたらすことを意味している。
【発明の開示】
【発明が解決しようとする課題】
【０００２】
本発明はこれらの問題を回避し、以下の説明で明らかとなるであろう他の目的および利点を達成する。
【課題を解決するための手段】
【０００３】
要約すれば、基部または脚と、他の離れた位置との少なくとも二列のタブによって互いに分離可能に連結された複数のボトルを含み、全てのタブはボトルを切離して使うためにボトルの長手方向の直線に平行な線を形成する、不連続の破断点によって形成することもできる、破断線を有している定量プラスチック・ボトルのスティックにおいて、本発明により一方の列の破断線が他方の列の破断線と整合されておらず、このことが同軸的な破断線に沿って生じる可能性の高い変形に対抗できるスティックの大きな剛性を得られるようにしている。
【０００４】
本発明の他の特徴は、従属する二次的請求項によって定められる。
【０００５】
本発明の明確な理解は、以下の説明および本発明の現実的な非制限例を示す添付図面によって得られるであろう。
【実施例１】
【０００６】
図１〜図４において、符号１はボトル・スティックのボトルを示している。これらのボトルは全体に符号３を付されたスティックの基部または脚により、およびボトル１の本体に関する中間部分に位置する全体に符号５を付された他の連結部材によって互いに連結される。連結部材５は、二つの隣接するボトル１に連結されるストリップを含んで構成され、ストリップとボトルの各本体との間に二つの破断線５Ａを有している。スティックの基部または脚３で形成される連結部材は平行六面体部材３Ａで構成され、それらの部材は個々のボトルに連結されてボトル（充填され、シールされ、互いに分離された）の捩り開口手段を形成する。これらの平行六面体部材３Ａは相互に接触する小さな前面３Ｂの位置で一対の連結状態の破断線３Ｃ（平行六面体部材３Ａの幅だけ互いに引離されている）によって連結されている。各平行六面体部材３Ａは特に図１および図４に見られるように中空で、ネック１Ａのための閉止膜を形成すると共に平行六面体部材３Ｂを強化する必要があることから、中央にボトルのネック１Ａを取囲む中空円筒突起３Ｅを有している。破断線５Ａ，３Ｃは少なくとも二つの破断点の並びとされ、すなわち少なくとも二つの破断点で形成されることができる。
【０００７】
スティックの基部または脚３における連結システムの両端は適当な横方向の連結部材強化部分７Ａを有するストリップ形の端部７である。同じように、二つの端部９が中間の連結部材５（連結部材３から隔てられている）と整合され、それらの端部は上述し図示した端部７に似た形状とされるか、特に図３に示されるように、図示されたスティックの支持面および横ガイド面を形成する中空三角柱部分のように成形されることができる。中間の連結部材５の端部９は凹部９Ａを含むことが有利であり、その目的は、一方ではボトル１を充填およびシールするためのスティックの取扱いで機械を通るスティックのガイド手段として、また一方では複数のスティックを並べて簡単且つ安価に有利にパックできるようにするためであり、スティックは結合部材または弾性手段によって凹部９Ａの位置で連結することができる。
【０００８】
破断線３Ｃは破断線５Ａと平行ではあるが整合されておらず、これによりスティックの取扱いおよび先に説明した問題防止のために、必要とされるボトル・スティックの剛性を十分に高めることができる。
【０００９】
連結部材５には、図面によれば二つの隣接するボトル１の間に二本の破断線５Ａが配置されているが、他の解決法も可能であり、そこでは破断線３Ｃと整合されない一本の破断線が二つのボトルの間の連結部材５に配置される。この場合には、並んだボトルの間の連結ストリップ５は破断後に二つのボトルの一方に連結されたまま残される。このストリップは、起立したまたはギザギサ状の表示を有することになり、ボトルがスティックから切離された後もボトルに付着させたままにするのに有用となる。端部ボトルの一方には何らかの備えがなされることになる。
【００１０】
連結ストリップ５に形成された中間連結部材の破断線の位置から独立している場合でも、互いに隔てられた二本の破断線３Ｃが平行六面体部材３Ａの間の外端３Ｂに存在することでスティックを十分に強化するであろうことに価値はない。
【００１１】
図５〜図８は図１〜図４と同様に、基本的にはそれらの図１〜図４のスティックに似たスティックを示しており、唯一の相違点は、先の実施例のストリップ５に相当するストリップ１５で表される中間連結部材において、端部１９（先の実施例の端部９に機能的に等しい）が変更されて伸長形をしており、それらの伸長部が図７の側面図においてＴを二重にしたように成形され、ボトル本体に関して長手方向のストリップ１９Ａとストリップ１９Ａの両縁または単純にその一方に備えることのできる補強部１９Ｂとを備えていることである。前述したように、費用や廃棄に関する問題を生じることなく簡単に行える結合部材で複数スティックをパックできるようにするために、端部１９は図１〜図４に見られる実施例の凹部９Ａに類似の凹部１９Ｃを与えられることができる。
【００１２】
図１および図５に類似の図９は、先の実施例の端部７，１７に似た端部２７における変形例を示している。この変形例では、端部２７も先の実施例の凹部９Ａ，１９Ｃに似た凹部２７Ａを同じ目的で有する。従って、図９に見られるスティックの形態を使用して、図５に示されるように凹部１９Ｃのまわりに、そして図９に示されるように凹部２７Ａのまわりにスティックを二重に結合することが可能となる。
【００１３】
図１０は先の実施例に似ているが、基部の連結部材３３（１３，２３に相当）の端部３７および端部３９（９，１９に相当）は共に先の実施例の端部７，１７，１９，２７に似た長手方向ストリップではなく図１の端部９に似て三角柱形をした解決策を示している。この形態例も、パッキングできるように、またガイド・システムとして機能できるようにするために端部３９に３７Ａ，３９Ａのような凹部を有している。
【００１４】
他の可能とされる形態例が図１１〜図１４に示されている。
【００１５】
図１１および図１２は中空平行六面体ではなくストリップ形状の基部または脚の連結部材４３を示しており、隣接するボトルの間の中間位置に破断線４３Ａを備えている。対をなすストリップ４５が隣接するボトル４１の間を延在し、各ストリップ４５は中間の破断線４５Ａを有している。この変形例も本発明の基本的な条件を保有している。図１３は、図１１および図１２に類似であるが、各連結ストリップ４５の中間の破断線４５Ａに代えて、二つのストリップ４５がその間を延在する隣接する二つのボトル４１に隣接して二本の破断線４５Ｂが配置されていることが相違した構造を示している。
【００１６】
論理的に少なくとも本発明は図１４に示されたように、基部または脚の連結部材５３が隣接するボトルの間の中心線から多少移動された複数の破断線５３Ａを有する一方、中間の連結部材５５は、各々の連結ストリップ５５がその間を延在している二つの隣接するボトルの一方に隣接する一本の破断線５５Ａを有し、対応する破断線５３Ａとの整合状態から外れるようにして、実施される。前述したように、破断線５３Ａ，５５Ａは互いに整合されないのである。
【００１７】
図１１には、先に説明した変形例の（それらに対して実際に適用できる）他の変形例として、連結部材例えば４３，４５の端部４７，４９の一方または両方が３７Ａ，９Ａ，１９Ｃ２７Ａ，３７Ａ，３９Ａにおけるようにここでは凹部を形成されておらず、機械を通るスティックの移動をガイドする機能を有する６３，６５で示すような突起を有している。この変形例は再び述べるが、隣接するスティックに沿って延在する二つのテープまたはバンドの横方向スリットを通して挿入できる突起６３，６５を使用して、並べて配置した複数のスティックの端部で連結できるようにする。
【００１８】
図１５は、狭い翼７３Ａおよび真直部分７３Ｂを含み、それに沿って、それぞれのボトルのネックを切断するように設計されているセグメントの間を破断線が延在している基部または脚の連結部材７３に関する別の形態を示している。
【００１９】
図面は、本発明がその基本となる概念の範囲から逸脱せずに形状および構造を変更できるので、本発明の実質的な開示として単に実施例を純粋に示していることが理解されるであろう。
【図面の簡単な説明】
【００２０】
【図１】本発明によるスティックの第一の実施例を前面斜視図で示す。
【図２】本発明によるスティックの第一の実施例を図１の線ＩＩ−ＩＩに沿って図示する。
【図３】本発明によるスティックの第一の実施例を図１の線ＩＩＩ−ＩＩＩに沿って図示する。
【図４】本発明によるスティックの第一の実施例を線ＩＶ−ＩＶに沿って部分的に断面で図示する。
【図５】第二の実施例を図１と同様に示す。
【図６】第二の実施例を図２と同様に示す。
【図７】第二の実施例を図３と同様に示す。
【図８】第二の実施例を図４と同様に示す。
【図９】他の実施例を図１と同様に示す。
【図１０】さらに他の実施例を図１と同様に示す。
【図１１】他の実施例のスティックの一部を前面斜視図で示す。
【図１２】図１１の線ＸＩＩ−ＸＩＩに沿って図示する。
【図１３】図１１に示された形態の変形例を示す。
【図１４】本発明の一実施例の簡略化した概略図である。
【図１５】図１〜図８の形態と比較した変形形態の横断面図を示す。
【符号の説明】
【００２１】
１  ボトル
３  基部または脚
３Ａ  平行六面体部材
３Ｂ  前面
３Ｃ  破断線
５  連結部材
５Ａ  破断線
７  端部
７Ａ  連結部材補強部分
９  端部
９Ａ  凹部
１５  ストリップ
１７  端部
１９  端部
１９Ａ  ストリップ
１９Ｂ  補強部分
１９Ｃ  凹部
２７Ａ  凹部
３７Ａ  凹部
３９Ａ  凹部
４１  ボトル
４３  連結部４
４５  ストリップ
４５Ａ  破断線
４５Ｂ  破断線
４７  端部
４９  端部
５３  連結部材
５３Ａ  破断線
５５  連結部材
５５Ａ  破断線
６３，６５  突起
７３  連結部材
７３Ａ  狭い翼
７３Ｂ  真直部分
【国際公開パンフレット】
2004536750.tif 000003
2004536750.tif 000004
2004536750.tif 000005
2004536750.tif 000006
2004536750.tif 000007
2004536750.tif 000008
2004536750.tif 000009
2004536750.tif 000010
2004536750.tif 000011
2004536750.tif 000012
2004536750.tif 000013
2004536750.tif 000014
2004536750.tif 000015
【国際公開パンフレット（コレクトバージョン）】
2004536750.tif 000016
【国際調査報告】
2004536750.tif 000017
2004536750.tif 000018
2004536750.tif 000019
2004536750.tif 000020